(57)【特許請求の範囲】
【請求項１】
カラオケ楽曲を演奏する際に、歌唱者画像を表示する機能と、歌唱者の歌唱力を採点する機能とを有し、複数の歌唱パートを有するカラオケ楽曲について、各歌唱者の採点結果に応じて歌唱者画像を合成して表示する歌唱採点結果に応じた歌唱者画像合成表示システムであって、
歌唱者画像管理手段と、ログイン利用者管理手段と、歌唱採点手段と、歌唱者画像合成手段と、合成歌唱者画像表示手段と、を備え、
前記歌唱者画像管理手段は、顧客データベースにて、利用者ＩＤに対応付けて当該利用者を表す画像を歌唱者画像として管理し、
前記ログイン利用者管理手段は、現にカラオケ演奏端末にログインしている利用者を、利用者ＩＤに基づき特定して管理し、
前記歌唱採点手段は、複数の歌唱パートを有するカラオケ楽曲について、各歌唱パートに対応する歌唱区間毎に歌唱者となる利用者を利用者ＩＤに基づき特定して、当該歌唱者の歌唱力を所定数の歌唱区間において採点し、
前記歌唱者画像合成手段は、歌唱区間毎に特定された各歌唱者それぞれの歌唱者画像を、前記歌唱採点手段におけるそれぞれの採点結果に応じた比率で合成して合成歌唱者画像を作成し、
前記合成歌唱者画像表示手段は、所定のタイミングで前記合成歌唱者画像を表示部に表示させる、
ことを特徴とする歌唱採点結果に応じた歌唱者画像合成表示システム。
【発明の詳細な説明】
【技術分野】
【０００１】
本発明は、複数の歌唱パートを有するカラオケ楽曲について、各歌唱者の採点結果に応じて歌唱者画像を合成して表示する歌唱採点結果に応じた歌唱者画像合成表示システムに関するものである。
【背景技術】
【０００２】
現在普及しているカラオケ装置は、歌唱者の歌唱力を採点するための機能を有しているものが多い（特許文献１参照）。この特許文献１に記載された技術は、伴奏音楽データに付属する歌唱パートの模範旋律データと、伴奏音楽に合わせて歌唱を行う歌唱者の歌声信号とのピッチ推移の一致度合いを逐次検出すると共に、一致度合いを集積して採点データを出力するようになっている。また、例えばデュエット曲のように、男女２名の歌唱者がそれぞれの歌唱パートを交代で歌う際に、各歌唱者の歌唱力をそれぞれ採点可能なカラオケ装置も存在する。
【０００３】
また、ビデオカメラで撮影した利用者の人物映像を適宜にサンプリングして顔写真の静止画データを生成し、この顔写真の静止画データに対して歌唱採点結果に基づいた変形加工処理を加えて表示することができるカラオケ装置も存在する（特許文献２参照）。この特許文献２に記載された技術は、歌唱採点結果が高いほど顔写真の変形度を小さくし、歌唱採点結果が低いほど顔写真の変形度を大きくして、歌唱途中における歌唱採点結果を逐次表示するようにしたものである。
【０００４】
【特許文献１】特開２００７−１２１９１７号公報
【特許文献２】特開平１１−２３１８８１号公報
【発明の開示】
【発明が解決しようとする課題】
【０００５】
しかしながら、上述した特許文献１に代表される従来の技術では、カラオケ楽曲の演奏が終了した時点で、歌唱者の歌唱力を数値化して表示したり、採点バトルの勝者を表示したりするのが一般的であり、このような採点結果の表示方法では、歌唱者自身や視聴者にとって、歌唱途中における歌唱力の優劣が判断できずに、カラオケ装置を用いた歌唱の面白さを充分に味わうことができない場合もあった。さらに、歌唱途中における採点結果を逐次表示したとしても、採点バトルとして盛り上がりに欠け、娯楽性に乏しいものとなってしまう。
【０００６】
また、上述した特許文献２に記載された技術は、単独の歌唱者の歌唱採点結果を表示することを前提としている。したがって、デュエット曲等について採点バトルを行う際に、当該技術を応用して各歌唱者の顔写真を個別に変形して表示したとしても、各歌唱者についての歌唱力の優劣は判断できるが、いずれの歌唱者の歌唱力が優れているのかを直感的に判断することはできない。
【０００７】
本発明は、上述した事情に鑑み提案されたもので、複数の歌唱パートを有するカラオケ楽曲について、カラオケ装置の歌唱採点機能を用いた歌唱採点の娯楽性を高めることが可能な歌唱採点結果に応じた歌唱者画像合成表示システムを提供することを目的とする。
【課題を解決するための手段】
【０００８】
本発明の歌唱採点結果に応じた歌唱者画像合成表示システムは、上述した目的を達成するため、以下の特徴点を有している。すなわち、本発明の歌唱採点結果に応じた歌唱者画像合成表示システムは、カラオケ楽曲を演奏する際に、歌唱者画像を表示する機能と、歌唱者の歌唱力を採点する機能とを有し、複数の歌唱パートを有するカラオケ楽曲について、各歌唱者の採点結果に応じて歌唱者画像を合成して表示するシステムであって、歌唱者画像管理手段と、ログイン利用者管理手段と、歌唱採点手段と、歌唱者画像合成手段と、合成歌唱者画像表示手段と、を備えたことを特徴としている。
【０００９】
歌唱者画像管理手段は、顧客データベースにて、利用者ＩＤに対応付けて当該利用者を表す画像を歌唱者画像として管理するための手段である。ログイン利用者管理手段は、現にカラオケ演奏端末にログインしている利用者を、利用者ＩＤに基づき特定して管理するための手段である。歌唱採点手段は、複数の歌唱パートを有するカラオケ楽曲について、各歌唱パートに対応する歌唱区間毎に歌唱者となる利用者を利用者ＩＤに基づき特定して、当該歌唱者の歌唱力を所定数の歌唱区間において採点するための手段である。歌唱者画像合成手段は、歌唱区間毎に特定された各歌唱者それぞれの歌唱者画像を、歌唱採点手段におけるそれぞれの採点結果に応じた比率で合成して合成歌唱者画像を作成するための手段である。合成歌唱者画像表示手段は、所定のタイミングで合成歌唱者画像を表示部に表示させるための手段である。
【００１０】
上述した構成からなる歌唱採点結果に応じた歌唱者画像合成表示システムでは、例えば男声パート、女声パート、及び混声パートを有するデュエット曲のように、男女２名がそれぞれの歌唱パートを歌唱するカラオケ楽曲について、歌唱採点手段により、各歌唱パートを歌唱する歌唱者の歌唱力を所定数の歌唱区間において採点する。ここで、所定数を「１」に設定した場合には、歌唱区間毎に採点を行い、所定数を「２」以上に設定した場合には、複数の歌唱区間にわたって採点を行う。
【００１１】
そして、歌唱者画像合成手段により、男声パートを歌唱する歌唱者の歌唱者画像と、女声パートを歌唱する歌唱者の歌唱者画像とを合成して合成歌唱者画像を作成するが、この際、採点結果に応じた比率で画像合成を行う。具体的には、男声パートを歌唱する歌唱者の採点が上回った場合には、男声パートの歌唱者画像の比率が高くなり、女声パートを歌唱する歌唱者の採点が上回った場合には、女声パートの歌唱者画像の比率が高くなるように画像合成を行う。
画像合成された合成歌唱者画像は、合成歌唱者画像表示手段により、背景画像を映し出すメインモニタの表示部等に表示される。
【発明の効果】
【００１２】
本発明の歌唱採点結果に応じた歌唱者画像合成表示システムによれば、複数の歌唱パートを有するカラオケ楽曲について、各歌唱者の採点結果に応じて歌唱者画像を合成して逐次表示することができるので、カラオケ装置の歌唱採点機能を用いた歌唱採点の娯楽性を高めることができる。
【発明を実施するための最良の形態】
【００１３】
以下、図面を参照して本発明の歌唱採点結果に応じた歌唱者画像合成表示システムの実施形態を説明する。
本発明の実施形態に係る歌唱採点結果に応じた歌唱者画像合成表示システムは、カラオケ楽曲を演奏する際に、歌唱者画像を表示する機能と、歌唱者の歌唱力を採点する機能とを有し、複数の歌唱パートを有するカラオケ楽曲について、各歌唱者の採点結果に応じて歌唱者画像を合成して表示するシステムである。
【００１４】
＜カラオケシステムの概要＞
図１は、本発明の実施形態に係る歌唱採点結果に応じた歌唱者画像合成表示システムを含むカラオケシステムの構成を示す説明図、図２は、カラオケ演奏端末の構成を示す説明図、図３は顧客データベースの説明図である。
【００１５】
本発明の実施形態に係る歌唱採点結果に応じた歌唱者画像合成表示システムを含むカラオケシステムは、図１に示すように、通信ネットワーク１２を介して相互に接続されたホスト装置１３と複数のカラオケ演奏端末１１とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せずに安価な通信網であるという点で、インターネットにより構成されるＶＰＮを利用することが好ましい。
【００１６】
＜ホスト装置＞
ホスト装置１３は、図１に示すように、制御手段３１、歌唱者画像管理手段３３としての機能を有するデータ処理手段３２、送受信手段３４、歌唱者画像３６を含む利用者情報を格納した顧客データベース３５を備えている。これらの構成要素のうち、歌唱者画像管理手段３３及び顧客データベース３５が、カラオケ演奏端末１１の構成要素であるログイン利用者管理手段５３、歌唱採点手段５４、歌唱者画像合成手段５５、合成歌唱者画像表示手段５６と共に、歌唱採点結果に応じた歌唱者画像合成表示システムとして機能する。
【００１７】
送受信手段３４は、各カラオケ演奏端末１１との間でデータの送受信を行うための手段であり、通信ネットワーク１２における通信方式の整合性を保つための通信回路やソフトウェアにより構成される。制御手段３１は、ホスト装置１３を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。
【００１８】
＜データ処理手段／顧客データベース＞
データ処理手段３２は、歌唱者画像管理手段３３としても機能する手段であり、具体的には、顧客データベース３５にアクセスして、データの抽出、変更、追加を処理するためのプログラムからなる。特に、歌唱者画像管理手段３３は、顧客データベース３５にて、利用者ＩＤに対応付けて当該利用者を表す画像を歌唱者画像３６として管理するためのプログラムからなる。
顧客データベース３５は、利用者毎に利用者情報が登録されたデータベースであり、利用者情報の一つとして歌唱者画像３６を有している。この顧客データベース３５は、図３に示すように、利用者毎に、利用者ＩＤ、氏名、セカンドネーム（例えば愛称）、住所、電話番号、生年月日、性別、職業、歌唱者画像が関連付けて構成されている。なお、歌唱者画像３６は、利用者の顔写真であってもよいし、利用者が選択したアバターであってもよい。また、顧客データベース３５に登録する情報は、上述した情報に限られず、適宜必要な情報のみであってもよいし、他の情報を付加してもよい。
【００１９】
＜カラオケ演奏端末＞
本発明の実施形態に係る歌唱採点結果に応じた歌唱者画像合成表示システムを適用するカラオケ演奏端末１１は、図２に示すように、カラオケ本体２１、カラオケリモコン装置２２、ミキシングアンプ２３、スピーカ２４、マイクロホン２５、表示手段２６を備えている。カラオケ本体２１と表示手段２６とは、有線方式又は無線方式により接続されている。
【００２０】
＜カラオケリモコン装置＞
カラオケリモコン装置２２は、ユーザインタフェース機能を備えており、カラオケ本体２１のローカル送受信手段４７に対して有線方式又は無線方式によりデータの送受信を行うようになっており、データの送受信を行うための回路基板及びプログラムと、楽曲検索手段２２ａとして機能させるためのプログラムと、楽曲索引データベース２２ｂと、一時記憶領域であるフラッシュメモリ（図示せず）とを備えている。
【００２１】
＜楽曲索引データベース＞
楽曲検索手段２２ａが参照する楽曲索引データベース２２ｂは、カラオケ演奏端末１１で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。なお、楽曲索引データベース２２ｂの内容は、カラオケ演奏端末１１がホスト装置１３と通信を行う際に、適宜なタイミングで最新のものに更新される。
【００２２】
＜カラオケ本体＞
カラオケ本体２１は、バス４１、ネットワーク送受信手段４２、中央制御手段４３、ＲＯＭ４４、ＲＡＭ４５、ＨＤＤ４６、ローカル送受信手段４７、予約管理手段４８、音楽再生制御手段４９、Ａ／Ｄコンバータ５０、映像再生制御手段５１、利用者ＩＤ取得手段５２、ログイン利用者管理手段５３、歌唱採点手段５４、歌唱者画像合成手段５５、合成歌唱者画像表示手段５６を備えている。
【００２３】
＜中央制御手段＞
中央制御手段４３は、カラオケ演奏端末１１を総合的に制御するための手段であり、例えばＣＰＵ及びその周辺機器により構成されており、ＣＰＵ等がＲＯＭ４４等に記憶されたアプリケーションプログラムに従って動作することにより、制御機能を発揮することができるようになっている。
【００２４】
＜ＲＯＭ／ＲＡＭ＞
ＲＯＭ４４は、カラオケ演奏端末１１を構成する各機器を制御するためのアプリケーションプログラムデータや数値データを記憶するための機器で、例えば半導体メモリ等で構成される。また、ＲＡＭ４５は、アプリケーションプログラムや合成歌唱者画像４５ｂ等のデータを一時的に記憶する一時記憶領域として機能するもので、例えば半導体メモリ等で構成される。なお、物理的な半導体メモリによりＲＡＭ４５を構成するのではなく、ハードディスク記憶装置等を用いて仮想的なＲＡＭ４５を構成してもよい。本実施形態では、ＲＡＭ４５に、予約待ち行列４５ａ及び合成歌唱者画像４５ｂが格納されている。
【００２５】
＜ＨＤＤ＞
ＨＤＤ４６には、楽曲データベース４６ａ及び映像データベース４６ｂが格納されている。また、ＨＤＤ４６は、ホスト装置１３の顧客データベース３５から取得した歌唱者画像を一時的に記憶するための歌唱者画像一時記憶部４６ｃとしても機能する。後に詳述するが、歌唱者画像一時記憶部４６ｃに一時的に記憶された歌唱者画像は、歌唱者画像合成手段５５により歌唱者画像を合成する際に使用される。なお、ＨＤＤ４６に替えて、あるいはＨＤＤ４６と共に、データを書き替え可能なＤＶＤ等の大容量記憶装置を用いてもよい。
【００２６】
＜楽曲データベース／映像データベース＞
楽曲データベース４６ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。
映像データベース４６ｂは、演奏される楽曲に対応した背景映像を、当該楽曲の楽曲ＩＤに対応させた映像ファイルとして所定数格納したデータベースである。
【００２７】
＜利用者ＩＤ取得手段＞
利用者ＩＤ取得手段５２は、利用者がカラオケ演奏端末１１を利用する際に、利用者が所持するＩＤ媒体６１から利用者ＩＤを取得するための電子回路及びプログラムからなる。利用者ＩＤ取得手段５２で取得した利用者ＩＤは、ＲＡＭ４５に一時的に記憶され、ログイン利用者管理手段５３で管理される。ＩＤ媒体６１は、例えば、非接触型のＩＣカード、携帯電話、携帯情報端末等からなり、利用者ＩＤを記憶して、利用者ＩＤ取得手段５２との間でデータの送受信を行うことができるようになっている。
【００２８】
＜ログイン利用者管理手段＞
ログイン利用者管理手段５３は、現に当該カラオケ演奏端末１１にログインしている利用者を、利用者ＩＤに基づき特定して管理するためのプログラムからなる。すなわち、ログイン利用者管理手段５３では、利用者ＩＤ取得手段５２により利用者ＩＤが取得された場合に、この利用者ＩＤに基づいてカラオケ演奏端末１１にログインしている利用者を特定して管理する。
【００２９】
＜歌唱採点手段＞
歌唱採点手段５４は、複数の歌唱パートを有するカラオケ楽曲について、各歌唱パートに対応する歌唱区間毎に歌唱者となる利用者を利用者ＩＤに基づき特定して、当該歌唱者の歌唱力を所定数の歌唱区間において採点するためのプログラムからなる。カラオケ楽曲には、前奏区間、間奏区間、後奏区間のように歌唱者が歌唱しない非歌唱区間と、実際に歌唱者が歌唱する歌唱区間とがある。歌唱採点手段５４では、例えば、男声パート、女声パート、混声パートのように複数の歌唱パートを有するカラオケ楽曲について、各歌唱パートにそれぞれ対応する歌唱区間毎に歌唱者となる利用者を利用者ＩＤに基づき特定する。そして、所定数の歌唱区間において、分類された歌唱パート別に採点を行うようになっている。
【００３０】
歌唱採点では、マイクロホン２５より入力された歌唱者の音声信号から、音程、声量、テンポ等の歌唱評価データを抽出すると共に、この歌唱評価データと演奏楽曲の主旋律等のリファレンス情報とを比較して採点を行う。このような歌唱採点方法については、特開２００７−１２１９１７号公報等に詳細に記載されている。
【００３１】
＜歌唱者画像合成手段＞
歌唱者画像合成手段５５は、歌唱区間毎に特定された各歌唱者それぞれの歌唱者画像を、歌唱採点手段５４におけるそれぞれの採点結果に応じた比率で合成して合成歌唱者画像４５ｂを作成するためのプログラムからなる。作成された合成歌唱者画像４５ｂは、ＲＡＭ４５に一時的に記憶される。歌唱者画像合成手段５５では、例えば、目、眉毛、耳、鼻、口、顎、髪型等の部分をそれぞれ抽出して合成したり、モーフィング技術を用いて画像合成を行ったりする。合成に際しては、特に顔の表情に影響を与える部分のポイントを高く設定する等、顔の各部分に重み付けを行うことにより、採点結果に応じて最適な合成歌唱者画像４５ｂを作成することができる。
歌唱者画像合成手段５５における画像合成技術は、どのような方法であってもよく、例えば、特開２００４−５２６５号公報等に記載されている画像合成技術を用いることができる。
【００３２】
＜合成歌唱者画像表示手段＞
合成歌唱者画像表示手段５６は、歌唱者画像合成手段５５により合成され、ＲＡＭ４５に一時的に記憶された合成歌唱者画像４５ｂを表示手段２６の表示部に表示させるためのプログラムからなる。合成歌唱者画像表示手段５６おける合成歌唱者画像４５ｂの表示方法はどのようなものであってもよいが、例えば、既に表示されていた合成歌唱者画像４５ｂをフェードアウトして、新たな合成歌唱者画像４５ｂをフェードインしたり、モーフィング技術を用いて、既に表示されていた合成歌唱者画像４５ｂを連続的に変化させて、新たな合成歌唱者画像４５ｂを表示したりすることができる。
【００３３】
＜音楽再生制御手段＞
音楽再生制御手段４９は、楽曲ＩＤに基づいて楽曲データベース４６ａから抽出された演奏データをデジタル再生すると共にアナログ変換してミキシングアンプ２３に出力するための電子回路である。ミキシングアンプ２３は、マイクロホン２５から入力された歌唱者の歌唱音声信号と、音楽再生制御手段４９から送出される演奏音声信号とをミキシングすると共に、アンプ機能により増幅してスピーカ２４より出力させるための装置である。なお、マイクロホン２５の数は１本に限られず、２本以上であってもよい。
また、マイクロホン２５は、Ａ／Ｄコンバータ５０を介してバス４１に接続されており、マイクロホン２５から入力された音声信号が歌唱採点手段５４における歌唱採点に使用される。
【００３４】
＜映像再生制御手段／表示手段＞
映像再生制御手段５１は、カラオケ演奏中に、映像データベース４６ｂから抽出した映像データ、及び楽曲データベース４６ａから抽出した楽曲データのうちの歌詞テロップデータ（歌詞文字データ）を当該楽曲の演奏データに同期させて表示手段２６に出力するための電子回路である。さらに、映像再生制御手段５１は、カラオケリモコン装置２２を介した利用者からの操作指示による予約楽曲リストの表示等を表示手段２６に表示させる機能も有している。
表示手段２６は、カラオケ演奏時の映像、歌詞テロップ、合成歌唱者画像４５ｂ等を表示するための装置で、例えば、ＣＲＴディスプレイ、液晶ディスプレイ、プラズマディスプレイ等により構成される。
【００３５】
＜予約管理手段＞
予約管理手段４８は、利用者によりカラオケリモコン装置２２における楽曲検索手段２２ａの機能を用いて選曲され、ローカル送受信手段４７を介して送信された当該選曲者の利用者情報（例えば利用者ＩＤ）及び選曲された楽曲ＩＤを対応付けて予約待ち行列４５ａとしてＲＡＭ４５に格納し、管理するためのプログラムである。なお、楽曲選択の表示や予約待ち行列４５ａの表示は、カラオケリモコン装置２２の入出力用表示部及び表示手段２６のいずれか一方、あるいは双方で行うことができる。
【００３６】
＜送受信手段＞
ローカル送受信手段４７は、カラオケリモコン装置２２との間でデータの送受信を行うための電子回路及びプログラムからなる。ネットワーク送受信手段４２は、通信ネットワーク１２を介してホスト装置１３との間でデータの送受信を行う際に、通信ネットワーク１２における通信方式の整合性を保つための電子回路及びプログラムからなる。
【００３７】
＜歌唱採点値の比較と合成画像の作成＞
図４を参照して、本発明の歌唱採点結果に応じた歌唱者画像合成表示システムにおける歌唱採点値の比較と合成画像の作成について説明する。図４は、歌唱採点値の比較と合成画像の作成の手順を示す説明図である。また、図５〜図７は、カラオケ楽曲の演奏進行に伴って表示される合成歌唱者画像の一例を示す説明図である。
【００３８】
本発明の歌唱採点結果に応じた歌唱者画像合成表示システムでは、カラオケ演奏端末１１で演奏される楽曲を非歌唱区間と歌唱区間とに区別する。図４に示す例は、デュエット曲を演奏する場合であって、歌唱区間を男声パート、女声パート、混声パートに区別している。なお、男性２人が歌唱するデュオ曲や女性２人が歌唱するデュオ曲の場合には、各歌唱者のパート及び混声パートに区別すればよい。さらに、トリオ曲やカルテット曲等のように３人以上の歌唱者が歌唱する楽曲についても、同様に歌唱パートを区別すればよい。
【００３９】
カラオケリモコン装置２２を用いて選曲を行う際に、選曲者の利用者ＩＤを入力することにより、各歌唱パート（歌唱区間）を歌唱する歌唱者が特定される。また、顧客データベース３５に格納された利用者情報には性別データが含まれているため、男女２人が歌唱を行うデュエット曲の場合には、取得した利用者の性別情報に基づいて、各歌唱パートを歌唱する歌唱者を特定してもよい。この際、２本以上のマイクロホン２５を用意し、各歌唱パート（歌唱区間）とマイクロホン２５とを対応付けてもよい。
【００４０】
カラオケ楽曲の演奏が開始されると、まず初めに、図５に示すような開始画像が表示される。歌唱採点は、所定数の歌唱区間において行われる。図４に示す例では、歌唱採点手段５４により、まず、男声パート（Ｍ１）と女声パート（Ｆ１）についてそれぞれ歌唱採点を行い、歌唱者画像合成手段５５により、歌唱者の採点結果を比較し、比較結果に応じた比率で、男声パートの歌唱者画像と女声パートの歌唱者画像とを合成し、合成歌唱者画像４５ｂとしてＲＡＭ４５に一時的に記憶する。ここで、例えば、男声パートの歌唱採点結果が６０点で、女声パートの歌唱採点結果が８０点であったとすると、男声パートの歌唱者画像と女声パートの歌唱者画像とが６０：８０の割合で合成される。歌唱者画像の合成では、歌唱採点結果に応じて、例えば、目、眉毛、耳、鼻、口、顎、髪型等の部分をそれぞれ抽出して画像合成が行われる。そして、男声パート（Ｍ１）及び女声パート（Ｆ１）に続く混声パート（ＭＦ１）と、その後の間奏区間で、合成歌唱者画像表示手段５６により、合成歌唱者画像４５ｂの表示が行われる。この際に表示される合成歌唱者画像４５ｂは、図６に示すようになる。
【００４１】
同様にして、男声パート（Ｍ２）と女声パート（Ｆ２）についてそれぞれ歌唱採点を行い、歌唱採点の比較結果に応じた比率で、男声パートの歌唱者画像と女声パートの歌唱者画像とを合成し、男声パート（Ｍ２）及び女声パート（Ｆ２）に続く混声パート（ＭＦ２）と、その後の間奏区間で、合成歌唱者画像４５ｂの表示が行われる。ここで、例えば、男声パートの歌唱採点結果が７５点で、女声パートの歌唱採点結果が６８点であったとすると、男声パートの歌唱者画像と女声パートの歌唱者画像とが７５：６８の割合で合成される。この際に表示される合成歌唱者画像４５ｂは、図７に示すようになる。
【００４２】
さらに同様にして、男声パート（Ｍ３）と女声パート（Ｆ３）についてそれぞれ歌唱採点を行い、歌唱採点の比較結果に応じた比率で、男声パートの歌唱者画像と女声パートの歌唱者画像とを合成し、男声パート（Ｍ３）及び女声パート（Ｆ３）に続く混声パート（ＭＦ３）と、その後の間奏区間で、合成歌唱者画像４５ｂの表示が行われる。
【００４３】
そして、後奏区間が終了すると、各歌唱パートにおける採点結果を総合した総合評価に応じた比率で、男声パートの歌唱者画像と女声パートの歌唱者画像とを合成して合成歌唱者画像４５ｂを作成し、次の楽曲の演奏が開始するまでの所定期間、当該合成歌唱者画像４５ｂの表示が行われる。
【００４４】
＜他の実施形態＞
本発明の歌唱採点結果に応じた歌唱者画像合成表示システム及びその周辺装置を構成する機器や手段は上述したものに限定されず、歌唱者画像合成表示システム及びカラオケシステムの利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００４５】
また、カラオケ演奏端末１１をネットワークに接続せずに、スタンドアロンで動作させてもよい。この場合、ホスト装置１３の構成要素である歌唱者画像管理手段３３及び顧客データベース３５は、ローカルなカラオケ装置の構成要素となる。
【図面の簡単な説明】
【００４６】
【図１】本発明の実施形態に係る歌唱採点結果に応じた歌唱者画像合成表示システムを含むカラオケシステムの構成を示す説明図。
【図２】カラオケ演奏端末の構成を示す説明図。
【図３】顧客データベースの説明図。
【図４】歌唱採点値の比較と合成画像の作成の手順を示す説明図。
【図５】カラオケ楽曲の演奏進行に伴って表示される合成歌唱者画像の一例を示す説明図。
【図６】カラオケ楽曲の演奏進行に伴って表示される合成歌唱者画像の一例を示す説明図。
【図７】カラオケ楽曲の演奏進行に伴って表示される合成歌唱者画像の一例を示す説明図。
【符号の説明】
【００４７】
１１  カラオケ演奏端末
１２  通信ネットワーク
１３  ホスト装置
２１  カラオケ本体
２２  カラオケリモコン装置
２２ａ  楽曲検索手段
２２ｂ  楽曲索引データベース
２３  ミキシングアンプ
２４  スピーカ
２５  マイクロホン
２６  表示手段
３１  制御手段
３２  データ処理手段
３３  歌唱者画像管理手段
３４  送受信手段
３５  顧客データベース
４１  バス
４２  ネットワーク送受信手段
４３  中央制御手段
４４  ＲＯＭ
４５  ＲＡＭ
４５ａ  予約待ち行列
４５ｂ  合成歌唱者画像
４６  ＨＤＤ
４６ａ  楽曲データベース
４６ｂ  映像データベース
４６ｃ  歌唱者画像一時記憶部
４７  ローカル送受信手段
４８  予約管理手段
４９  音楽再生制御手段
５０  Ａ／Ｄコンバータ
５１  映像再生制御手段
５２  利用者ＩＤ取得手段
５３  ログイン利用者管理手段
５４  歌唱採点手段
５５  歌唱者画像合成手段
５６  合成歌唱者画像表示手段
６１  ＩＤ媒体
【図１】
0005132413.tif 000002
【図２】
0005132413.tif 000003
【図３】
0005132413.tif 000004
【図４】
0005132413.tif 000005
【図５】
0005132413.tif 000006
【図６】
0005132413.tif 000007
【図７】
0005132413.tif 000008